(57)【要約】【課題】ハーネス接続が不要で、漏洩電波レベル低減や電装ハード系の冷却対策が容易であり、かつ部品点数の削減を図り得る画像形成装置における本体構造体の電装基板類搭載構造を提供する。【解決手段】画像形成装置の本体構造体とは別体のフレーム１１０を用いる。機械制御用ボード１０２と画像処理用ボード１０３に対してそれぞれ被せる複数に分割したカバー１１１、１１２内に、外部機器とのファックス機能拡張ボード１０６等の接続用インターフェースボードやハードディスクユニット１０５等の画像処理系ハードウェアを配し、オンボードコネクタ１１３、１１４によって機械制御用ボード１０２や画像処理用ボード１０３に直結する。カバー１１１、１１２は、板金製のフレーム１１０にネジなどで直結して箱形筐体構造を形成する。【選択図】　　　　図２
2004085944.tif 000002
【特許請求の範囲】
【請求項１】
電子写真方式の画像形成装置における本体構造体の電装基板類搭載構造であって、機械制御用ボードと画像処理用ボードを直結して前記本体構造体と別体の電装基板包括用筐体内に設置し、該電装基板包括用筐体内において、外部機器との接続用インターフェースボードやファクシミリ等用の機能拡張ボード、ハードディスクユニット等の画像処理系の電装部品類を、前記機械制御用ボードと画像処理用ボードに直結してなることを特徴とする画像形成装置における本体構造体の電装基板類搭載構造。
【請求項２】
請求項１の画像形成装置における本体構造体の電装基板類搭載構造において、前記電装基板包括用筐体が、前記本体構造体とは別体のフレームと、該フレームに取り付けるカバーとからなることを特徴とする画像形成装置における本体構造体の電装基板類搭載構造。
【請求項３】
請求項２の画像形成装置における本体構造体の電装基板類搭載構造において、前記カバーが複数に分割された金属製カバーであり、該複数の金属製カバー同士を導通させてなることを特徴とする画像形成装置における本体構造体の電装基板類搭載構造。
【請求項４】
請求項３の画像形成装置における本体構造体の電装基板類搭載構造において、前記金属製カバー内面側に前記ハードディスクユニットを取り付けてなることを特徴とする画像形成装置における本体構造体の電装基板類搭載構造。
【請求項５】
請求項１ないし４のいずれかの画像形成装置における本体構造体の電装基板類搭載構造において、前記電装基板包括用筐体を前記本体構造体に対して開閉動作可能に支持してなることを特徴とする画像形成装置における本体構造体の電装基板類搭載構造。
【請求項６】
請求項１ないし４のいずれかの画像形成装置における本体構造体の電装基板類搭載構造において、前記電装基板包括用筐体を前記本体構造体に対して着脱可能に支持してなることを特徴とする画像形成装置における本体構造体の電装基板類搭載構造。
【発明の詳細な説明】
【０００１】
【発明の属する技術分野】
本発明は、電子写真方式の画像形成方法を用いるＰＰＣ、ファクシミリ、プリンタ等及びそれらの複合機能をもつ電子写真方式の画像形成装置における本体構造体の電装基板類搭載構造に関する。
【０００２】
【従来の技術及び発明が解決しようとする課題】
従来、電子写真方式の画像形成装置では、図５に示すように、画像形成装置の本体構造体１００に電装基板や外部との拡張機能用基板類（オプションボード類）、画像データ蓄積用のハードディスク類、メモリーカード類、ファクシミリ機能拡張用ボード類等をそれぞれ直接取り付ける部位１０１を設け、機械制御用ボード（中央制御ボード：ＭＣＵ：メインコントロールユニットボード）１０２や画像処理用ボード（コントローラボード）１０３にハーネス１０４で接続する構成をとるものが多い。図中１０５はハードディスク、１０６はファックス機能拡張ボードを示す。
【０００３】
オプションボード類等をそれぞれ機械制御用ボード１０２や画像処理用ボード１０３に対してハーネス１０４で接続（電気的接続、光ファイバー接続等々）していると、それぞれの追加機能用ハードを機内の任意の位置へ設置できるため、設計上の自由度が高いが、機外漏洩電波レベルの低減対策を講じる必要や、ボード類の冷却を図るためファン等の冷却手段を複数設置する必要が生じる等の問題が生じる。
【０００４】
本発明は上記従来の問題点にかんがみ、接続に要していたハーネスを排除し、かつ電装ハード類を一括して集めることで、漏洩電波のレベル低減対策や電装ハード系の冷却対策を容易にし、かつそれらに必要な構造系部品の部品点数の削減を図り、しかも設置面積を小さくして外気冷却を容易にした画像形成装置における本体構造体の電装基板類搭載構造を提供することを目的とする。
【０００５】
【課題を解決するための手段】
本発明の請求項１に係る画像形成装置における本体構造体の電装基板類搭載構造は、上記目的を達成するために、電子写真方式の画像形成装置における本体構造体の電装基板類搭載構造であって、機械制御用ボードと画像処理用ボードを直結して前記本体構造体と別体の電装基板包括用筐体内に設置し、該電装基板包括用筐体内において、外部機器との接続用インターフェースボードやファクシミリ等用の機能拡張ボード、ハードディスクユニット等の画像処理系の電装部品類を、前記機械制御用ボードと画像処理用ボードに直結してなることを特徴とする。ことを特徴とする。
【０００６】
同請求項２に係るものは、上記目的を達成するために、請求項１の画像形成装置における本体構造体の電装基板類搭載構造において、前記電装基板包括用筐体が、前記本体構造体とは別体のフレームと、該フレームに取り付けるカバーとからなることを特徴とする。
【０００７】
同請求項３に係るものは、上記目的を達成するために、請求項２の画像形成装置における本体構造体の電装基板類搭載構造において、前記カバーが複数に分割された金属製カバーであり、該複数の金属製カバー同士を導通させてなることを特徴とする。
【０００８】
同請求項４に係るものは、上記目的を達成するために、請求項３の画像形成装置における本体構造体の電装基板類搭載構造において、前記金属製カバー内面側に前記ハードディスクユニットを取り付けてなることを特徴とする。
【０００９】
同請求項５に係るものは、上記目的を達成するために、請求項１ないし４のいずれかの画像形成装置における本体構造体の電装基板類搭載構造において、前記電装基板包括用筐体を前記本体構造体に対して開閉動作可能に支持してなることを特徴とする。
【００１０】
同請求項６に係るものは、上記目的を達成するために、請求項１ないし４のいずれかの画像形成装置における本体構造体の電装基板類搭載構造において、前記電装基板包括用筐体を前記本体構造体に対して着脱可能に支持してなることを特徴とする。
【００１１】
【発明の実施の形態】
以下本発明の実施の形態を図面を参照して説明する。なお以下では従来の例と共通する部分には共通する符号を付して説明する。
まず図１により本発明の実施対象となるカラー画像形成装置を説明する。図１において、１はベルト状像担持体たる可撓性のベルト状感光体である。感光体ベルト１は、回動ローラ２、３間に架設し、回動ローラ２の回転駆動により図中矢印Ａ方向（時計方向）に搬送する。図中４は感光体ベルト１表面を均一に帯電する帯電手段たる帯電チャージャ、図中５は静電像露光手段たるレーザ書き込み系ユニットである。また、図中６は後述するイエロー、マゼンタ、シアン、黒の現像剤（トナー）を有する４つの現像器を一体的に形成したカラー現像装置である。
【００１２】
図中１０は中間転写体たる中間転写ベルトである。中間転写ベルト１０は、回動ローラ１１、１２の間に架設し、回動ローラ１１の回転駆動により図中矢印Ｂ方向（反時計方向）に搬送する。感光体ベルト１と中間転写ベルト１０は、感光体ベルト１の回動ローラ３部で接触している。この接触部の中間転写ベルト１０側には、導電性を有するバイアスローラ１３が中間転写ベルト１０裏面に所定の条件で接触している。
【００１３】
図示のカラー画像形成装置の画像形成動作について説明する。感光体ベルト１は帯電チャージャ４により一様に帯電させた後、レーザ光学装置５により画像情報に基づき走査露光して表面に静電潜像を形成する。ここで、露光する画像情報は所望のフルカラー画像をイエロー、シアン、マゼンタ、及び黒の色情報に分解した単色の画像情報である。この情報により半導体レーザー（図示せず）で発生させたレーザービームＬを、図示を省略した光学装置により光路調整して走査して静電潜像を形成し、後述する回転型現像装置６により各々所定のイエロー、シアン、マゼンタ及び黒トナーで各々単色現像し、感光体ベルト１上に各々の色画像を順次形成する。
【００１４】
図中矢印Ａ方向に回転する感光体ベルト１上に形成した各単色画像像は、感光体ベルト１と同期して図中矢印Ｂ方向に回転する中間転写ベルト１０上に、イエロー、シアン、マゼンタ、及び黒の単色毎に、バイアスローラ１３に印加した所定の転写バイアスにより順次重ねて転写する。中間転写ベルト１０上に重ね合わせたイエロー、シアン、マゼンタ、及び黒の画像は、給紙台（給紙カセット）１７から給紙ローラ１８、搬送ローラ対１９ａ、１９ｂ、レジストローラ対２０ａ、２０ｂを経て転写部へ搬送した転写紙１７ａ上に転写ローラ１４により一括転写する。転写終了後、転写紙１７ａは定着装置８０により画像定着を受け、これでフルカラー画像が完成し、排紙ローラ対８１ａ、８１ｂを経て排紙スタック部８２に画像をプリントした転写紙１７ａを排出する。
【００１５】
なお、図中１５は廃棄トナー回収装置で、感光体ベルト１に常時当接し、感光体ベルト１上のトナーをクリーニングするクリーニングブレード１５ａを含む。１５ｃは廃棄トナー回収容器である。
【００１６】
図中１６は、中間転写ベルト１０のクリーニング装置である。クリーニング装置１６のクリーニングブレード１６ａは、画像形成動作中には中間転写ベルト１０表面から離間した位置に保持し、形成像を転写紙１７ａ上に転写した後に中間転写ベルト１０の表面に当接する。中間転写ベルト１０上よりクリーニングブレード１６ａによって掻き取った廃棄トナーは、クリーニング装置１６内に設けたオーガ１６ｂにより、図の紙面手前方向に搬送し、さらにプロセスカートリッジ３１の図の紙面で手前側面に設ける図示を省略した搬送部により廃棄トナー回収容器１５ｃへ搬送する。
【００１７】
感光体ベルト１、帯電チャージャ４、中間転写ベルト１０、クリーニング装置１５、１６は、プロセスカートリッジ３１として一体的に構成してあり、廃棄トナー回収用器１５ｃは、プロセスカートリッジ３１に対して交換可能に組み込んである。このため、廃棄トナー回収用器１５ｃ内に収容した廃棄トナーが所定量以上となった時点でプロセスカートリッジ３１から外して交換することにより、プロセスカートリッジ３１の長寿命化を図り得る。またプロセスカートリッジ３１のレジストローラ２０ｂ側のケース外装部分は、用紙搬送ガイドとしての機能も備えている。
【００１８】
図１の画像形成装置本体構造としては、不動部筐体たる本体フレーム９部と、転写紙１７ａの搬送経路が解放可能な前部筐体たる前フレーム８によって構成してあり、本体フレーム９の下部に給紙カセット１７を配置し、本体内部にカラー現像装置６、プロセスカートリッジ３１を交換可能に配置し、さらにその上方に定着装置８０を配置し、本体上部には排紙スタック部８２を設けてある。前フレーム８は、本体フレーム９に設けた回転支持軸９ａを中心に開閉回動可能に支持し、通常は図１に示すように本体フレーム９に対し閉じた状態で保持する。そして、転写紙１７ａの搬送経路内で転写紙１７ａのつまり（ジャム）が発生した場合には、前フレーム８の図示しないロック機構を解除して前フレーム８を解放する。前フレーム８には、転写紙搬送経路の一部を構成する搬送ローラ１９ａ、レジストローら２０ａ、転写ローラ１４等が保持してあり、前フレーム８を解放することによって転写紙搬送経路が露出し、容易にジャム処理を行える。この際、他の作像系ユニットは不動であり、トナーの飛散や、漏洩等による不具合は発生しないようになっている。
【００１９】
図２は、本発明に係る画像形成装置における本体構造体の電装基板類搭載構造の第１実施形態を示す斜視図である。本実施形態は、画像形成装置の本体構造体とは別体のフレーム１１０を用いており、機械制御用ボード１０２と画像処理用ボード１０３に対してそれぞれ被せる複数に分割したカバー１１１、１１２内に、外部機器とのファックス機能拡張ボード１０６等の接続用インターフェースボードやハードディスクユニット１０５等の画像処理系ハードウェアを配し、オンボードコネクタ１１３、１１４によって機械制御用ボード１０２や画像処理用ボード１０３に直結する構成となっている。カバー１１１、１１２は、例えば板金製のフレーム１１０にネジなどで直結して箱形筐体構造を形成する。すなわち、機械制御用ボード１０２と画像処理用ボード１０３に取り付ける必要がある拡張ハード類はそれぞれ相手のボードが決まっているので、それぞれのハード類の取り付け作業は個別の単独作業となる。そこでカバー１１１、１１２を分割式で構成し、単独で外せる構成としている。
【００２０】
すなわち、図５に示した従来構成のように各種ボードをハーネスで接続していると、機外漏洩電波レベルの低減対策やボード類の冷却を図るためファンなどを複数設置が必要になるが、本実施形態では全ての電装系ハード類を機械制御用ボード１０２と画像処理用ボード１０３の近傍に設置し、オンボードコネクタ１１３、１１４によるコネクタ直結でハーネス無し接続による直結構造を取ることによって、接続にハーネスを不要としている。また電装ハード類を一括して集めることで、漏洩電波のレベル低減対策や電装ハード系の冷却対策を容易にしている。すなわち、本体構造系とは別体のフレーム１１０に対して取り付ける構成とし、それらの接地性（ＧＮＤ性）を一体構造の電装系筐体と本体構造体との締結を強化することのみで、すべての電装ハード類から出る機外漏洩電波のレベルを低減させている。しかもそれらに掛かる構造系部品の部品点数の低減を実現している。なお、冷却対策が容易化するのは、各ボード類が近傍にありその設置面積が少ないため、冷却ファン等で外気を当てて冷却する場合に、ファンを複数箇所設ける必要がないためである。
【００２１】
図３は、本発明に係る画像形成装置における本体構造体の電装基板類搭載構造の第２実施形態を示す分解斜視図（Ａ）と組み立て斜視図（Ｂ）である。本実施形態は、画像形成装置の本体構造体とは別体のフレーム１１０を用い、電装基板包括用筐体として複数に分割した金属製のカバー１１５、１１６によって覆う構造を有し、カバー１１５、１１６同士を金属部材１１７で導通させている。金属部材１１７は、ネジ１１８で金属製のカバー１１５、１１６に直結する形で締結する。
【００２２】
この実施形態では、複数設置したカバー１１５、１１６が制御基板等のボード類から発生する電波のアンテナとなってしまい、機外漏洩電波のレベルを上げてしまう副作用が生じてしまうことが考えられるため、カバー１１５、１１６間を金属部材１１７で電気的に導通させてこれを防止している。すなわち、ハードディスク１０５等は、それ自体から電波が発生するが、ハードディスク１０５自体は金属製の塊状のユニットであるため、それ自身が他から出る電波を遮断する効果もある。従って、画像処理用ボード１０３の上に取り付けることで画像処理用ボード１０３から出る電波を遮断することができ、かつ自身から出る電波に関しては、カバー１１３の中に取り付けて遮断していることで、設置位置によって漏洩電波の防止性向上を図っている。
【００２３】
なお図示の例では金属部材１１７を６個のネジ１１８で締結しているが、ネジの本数はこの本数に限定されない。また金属部材１１７にバネ性のあるものを用い、一方側をネジ止めし、他側を板バネとしてバネ力により当てる等の構成も採用できる。また、導通用のガスケットを挟む等して電気的導通を持たせてもよい。
【００２４】
図４は、本発明に係る画像形成装置における本体構造体の電装基板類搭載構造の第３実施形態を示す斜視図である。本実施形態は、フレーム１１１の上下２箇所を支持部材１１９、１１９で回動可能に支持し、図の手前方向へ開くことができる構造としてある。すなわち筐体全体を開くことでその奥側にある駆動系等の画像形成装置としての本体構造系のメンテナンス修理等を容易にできるようにしてある。
【００２５】
また図示は省略するが、回動可能な支持部材に変えて画像形成装置の本体構造に対して着脱可能な支持部材を用い、筐体とボード類を一体で画像形成装置本体から取り外すことが可能な構造とすることもできる。その場合、取り外して別の場所にて作業を実施可能になるので、電装ユニットそのものの修理交換等の作業が容易な構造となる。もちろん電装ユニットの奥側にある駆動系等の隠れてしまう部分のメンテナンス修理等も容易にできる。
【００２６】
【発明の効果】
本発明に係る電子写真方式の画像形成装置における本体構造体の電装基板類搭載構造は、以上説明してきたように、機械制御用ボードと画像処理用ボードを直結して前記本体構造体と別体の電装基板包括用筐体内に設置し、該電装基板包括用筐体内において、外部機器との接続用インターフェースボードやファクシミリ等用の機能拡張ボード、ハードディスクユニット等の画像処理系の電装部品類を、前記機械制御用ボードと画像処理用ボードに直結してなるので、接続にハーネス等が不要になり、かつ電装ハード類を一括して集めることができ、漏洩電波のレベル低減対策や電装ハード系の冷却対策を容易にし、しかも、それらにかかる構造系部品の部品点数の低減を図れるという効果がある。
【００２７】
請求項３に係る電子写真方式の画像形成装置における本体構造体の電装基板類搭載構造は、以上説明してきたように、電装基板包括用筐体が、本体構造体とは別体のフレームと、それに取り付けるカバーとからなり、カバーを複数に分割した金属製カバーとし、複数の金属製カバー同士を導通させてなるので、それぞれのハード類の取り付け作業はそれぞれ個別の単独作業となるので、上記共通の効果に加え、制御基板等のボード類から発生する電波のアンテナとなって機外漏洩電波のレベルを上げてしまうことがないという効果がある。
【００２８】
請求項４に係る電子写真方式の画像形成装置における本体構造体の電装基板類搭載構造は、以上説明してきたように、金属製カバー内面側にハードディスクユニットを取り付けてなるので、上記共通の効果に加え、ハードディスクユニット自身が他から出る電波を遮断するとともに、ハードディスクユニット自身から出る電波に関してはカバーが遮断でき、このような設置位置でさらに漏洩電波の防止性を向上させ得るという効果がある。
る。
【００２９】
請求項５に係る電子写真方式の画像形成装置における本体構造体の電装基板類搭載構造は、以上説明してきたように、電装基板包括用筐体を本体構造体に対して開閉動作可能に支持してなるので、上記共通の効果に加え、電装系奥側の隠れてしまう部分にある駆動系などの本体構造系のメンテナンス修理などが容易になるという効果がある。
【００３０】
請求項６に係る電子写真方式の画像形成装置における本体構造体の電装基板類搭載構造は、以上説明してきたように、電装基板包括用筐体を本体構造体に対して着脱可能に支持してなるので、上記共通の効果に加え、電装系奥側の隠れてしまう部分にある駆動系などの本体構造系のメンテナンス修理などが容易になり、かつ取り外した電装基板包括用筐体とその内部のボード類等についての作業を別の場所で実施可能になり、作業性が向上するという効果がある。
【図面の簡単な説明】
【図１】本発明の実施対象となるカラー画像形成装置を示す断面図である。
【図２】本発明に係る画像形成装置における本体構造体の電装基板類搭載構造の第１実施形態を示す斜視図である。
【図３】本発明に係る画像形成装置における本体構造体の電装基板類搭載構造の第２実施形態を示す分解斜視図（Ａ）と組み立て斜視図（Ｂ）である。
【図４】本発明に係る画像形成装置における本体構造体の電装基板類搭載構造の第３実施形態を示す斜視図である。
【図５】従来の画像形成装置における本体構造体の電装基板類搭載構造を示す斜視図である。
【符号の説明】
１００　画像形成装置の本体構造体
１０２　機械制御用ボード
１０３　画像処理用ボード
１０５　ハードディスクユニット
１０６　ファックス機能拡張ボード
１１０　フレーム
１１１、１１２　カバー
１１３、１１４　オンボードコネクタ
１１５、１１６　金属製のカバー
１１７　金属部材
１１８　ネジ
１１９　支持部材
【図１】
2004085944.tif 000003
【図２】
2004085944.tif 000004
【図３】
2004085944.tif 000005
【図４】
2004085944.tif 000006
【図５】
2004085944.tif 000007